(57)【要約】【課題】比較的に低価格でデザイン性及びファッション性が高く、かつ、軽量でかけやすく、視力矯正用やサングラス用など通常の使用にも十分に耐えられる高い耐久性・実用性を備えた紙製のメガネフレームを提供する。【解決手段】レンズ（１５）が装着される一対の環状のリム部（１１、１１）が中央の連結部（１２）で連結されてなる前フレーム（１０）を有するメガネフレーム（２）であって、前フレーム（１０）は、外周形状が同形状である三枚の厚紙（１０ａ、１０ｂ、１０ｃ）を重ねて貼り合わせた構成であり、かつ、中間に挟み込まれた一枚の厚紙（１０ｂ）の開口部（１３ｂ）を他の厚紙の開口部（１３ａ、１３ｃ）よりも一回り大きく形成していることで、リム部（１１）の開口部（１３）の内周縁にレンズ（１５）の外周縁を嵌めるための環状の溝部（１７）が形成されている。【選択図】図１
2017191300.tif 000002
【特許請求の範囲】
【請求項１】
レンズが装着される開口部を有する一対の環状のリム部が中央の連結部で連結されてなる前フレームと、
前記前フレームの両サイドに蝶番部を介して折り畳み可能に連結された一対のツル部と、を備えるメガネフレームであって、
前記前フレームは、外周形状が同形状である複数枚の紙を重ねて貼り合わせた構成であり、かつ、中間に挟み込まれた一又は複数枚の紙の前記開口部を他の紙の前記開口部よりも一回り大きく形成していることで、前記リム部の前記開口部の内周縁に前記レンズの外周縁を嵌めるための環状の溝部が形成されていることを特徴とするメガネフレーム。
【請求項２】
前記前フレームは、三枚の紙を重ねて貼り合わせた構成であり、
中間に挟まれた一枚の紙の前記開口部の内周縁のみによって前記溝部の底面が構成されていることを特徴とする請求項１に記載のメガネフレーム。
【請求項３】
前記前フレームにおける前記連結部の下側であって両リム部の外側面には、前記リム部の側面を隆起させてなる隆起形状の鼻当て部が設けられており、
前記鼻当て部は、紙粘土を成型してなる部材であることを特徴とする請求項１又は２に記載のメガネフレーム。
【請求項４】
前記ツル部は、複数枚の紙を重ねた状態で互いに貼り合わせた構造であり、
前記蝶番部は、前記ツル部の最も内側に貼り合わせた紙の前端部を他の紙よりも前側に延伸させてその部分をヒンジ板とし、該ヒンジ板で前記ツル部の前端部と前記前フレームの両サイドとを連結した構造であることを特徴とする請求項１乃至３のいずれか１項に記載のメガネフレーム。
【請求項５】
請求項１乃至４のいずれか１項に記載のメガネフレームを備えたことを特徴とするメガネ。
【発明の詳細な説明】
【技術分野】
【０００１】
本発明は、メガネフレーム及びそれを備えたメガネに関し、特に材料に紙を用いたメガネフレーム及びそれを備えたメガネに関する。
【背景技術】
【０００２】
従来のメガネフレームは、プラスチックなどの合成樹脂製のものや金属製、べっ甲製のものなどが一般的に広く普及している。
【０００３】
ところで、より低価格でデザイン性、ファッション性が高く、特に、宣伝広告、販促効果の高い低廉な商品としてのメガネの開発が求められている。また、軽量でかけやすく、かつ丈夫で通常の使用にも十分耐えられることが必要である。さらには、近年の環境問題への対応のためには、自然環境に優しくリサイクルが可能なメガネフレームが必要とされている。
【０００４】
また、葬儀の際、故人が生前メガネを着用していた場合には、霊が迷うことのないようにという思いから、棺にメガネを入れたいという要望が多い。しかしながら、通常の金属製や合成樹脂製のメガネフレームは、火葬によって有害な物質の出る材質であったり不燃性の材質であるため、棺に入れることができないのが実情である。
【０００５】
上記のようなことに鑑みると、メガネフレームの材料として紙を用いることが考えられる。しかしながら、従来の紙の材料を用いたメガネフレームは、一般的には、例えば特許文献１に示すように、紙を折り曲げただけの簡単な構造のものが広く出回っているものの、視力矯正用のメガネやサングラスのフレームとして通常の使用に耐えられるような構造のものは、ほとんど市販されていない。
【先行技術文献】
【特許文献】
【０００６】
【特許文献１】実開平６−５５１１６号公報
【発明の概要】
【発明が解決しようとする課題】
【０００７】
本発明は上述の点に鑑みてなされたものであり、その目的は、比較的に低価格でデザイン性及びファッション性が高く、かつ、軽量でかけやすく、視力矯正用やサングラス用など通常の使用にも十分に耐えられる高い耐久性・実用性を兼ね備えた紙製のメガネフレーム、及びそれを備えたメガネを提供することを目的とする。
【課題を解決するための手段】
【０００８】
上記課題を解決するため、本発明にかかるメガネフレームは、レンズ（１５）が装着される開口部（１３、１３）を有する一対の環状のリム部（１１、１１）が中央の連結部（１２）で連結されてなる前フレーム（１０）と、前フレーム（１０）の両サイドに蝶番部（５、５）を介して折り畳み可能に連結された一対のツル部（２０、２０）と、を備えるメガネフレーム（２）であって、前フレーム（１０）は、外周形状が同形状である複数枚の紙（１０ａ、１０ｂ、１０ｃ）を重ねて貼り合わせた構成であり、かつ、中間に挟み込まれた一又は複数枚の紙（１０ｂ）の開口部（１３ｂ）を他の紙の開口部（１３ａ、１３ｃ）よりも一回り大きく形成していることで、リム部（１１）の開口部（１３）の内周縁にレンズ（１５）の外周縁を嵌めるための環状の溝部（１７）が形成されていることを特徴とする。
【０００９】
本発明にかかるメガネフレームによれば、紙製のメガネフレームにおいて、前フレームを複数枚の紙を重ねて貼り合わせた構成としたことで、紙製でありながら、視力矯正用のメガネのフレームやサングラスのフレームとして通常の使用にも十分に耐えられるような丈夫で耐久性の高いメガネフレームとなる。
【００１０】
また、複数枚の紙を貼り合わせるだけでレンズの外周縁を嵌めるための環状の溝部が形成されるので、従来の樹脂製のメガネフレームのようにレンズ用の溝部を切削加工で形成する工程などが不要となる。したがって、製作の工程数を少なくでき、メガネフレームの製作を非常に簡単に行うことができる。
【００１１】
また、前フレームに模様や色彩などを施す場合には、前フレームの最前面に貼り合わせた一枚の紙の前面にのみ印刷などで模様や色彩を付ければよいので、簡単な工程でデザイン性の高いメガネフレームを製作できる。
【００１２】
さらに、本発明のメガネフレームは紙を材料としているため、メガネフレームを廃棄する際に分別が不要となり、可燃廃棄物や紙資源としての処理が可能となり、リサイクル性に優れたメガネフレームとなる。また、葬儀の際に棺に入れてそのまま火葬することも可能なメガネフレームとなる。
【００１３】
またこのメガネフレームでは、前フレーム（１０）は、三枚の紙（１０ａ、１０ｂ、１０ｃ）を重ねて貼り合わせた構成であり、中間に挟まれた一枚の紙（１０ｂ）の開口部（１３ｂ）の内周縁のみによって溝部（１７）の底面が構成されていてよい。
【００１４】
この構成によれば、三枚の紙を重ねて貼り合わせるという簡単な工程で丈夫なメガネフレームを製作できる。また、中間に挟まれた一枚の紙の開口部の内周縁のみによって溝部の底面が構成されていることで、中間に挟まれた一枚の紙の厚さや形状を設定するだけで、レンズを嵌めるための溝部の深さや幅の選択が可能となる。したがって、レンズを嵌めるための溝部の構成の自由度を高めることができる。
【００１５】
また、このメガネフレームでは、前フレーム（１０）における連結部（１２）の下側であって両リム部（１１、１１）の外側面には、リム部（１１、１１）の側面を隆起させてなる隆起形状の鼻当て部（１９、１９）が設けられており、
鼻当て部（１９、１９）は、紙粘土の成型してなる部材であってよい。
【００１６】
この構成によれば、鼻当て部も前フレームと同一の紙材料で構成されるので、よりリサイクル性に優れたメガネフレームとなる。また、メガネフレームの軽量化・低価格化にも資することができる。また、鼻当て部を紙粘土で形成していることで、その形状を比較的自由に成形することができるので、メガネフレームのデザイン性を高めることができ、また使い心地の良いメガネフレームとすることができる。
【００１７】
また、このメガネフレームでは、ツル部（２０）は、複数枚の紙（２０ａ、２０ｂ、２０ｃ）を重ねた状態で互いに貼り合わせた構造であり、蝶番部（５、５）は、ツル部（２０）の最も内側に貼り合わせた紙（２０ｃ）の前端部を他の紙（２０ａ、２０ｂ）よりも前側に延伸させてその部分をヒンジ板（５ａ）とし、該ヒンジ板（５ａ）でツル部（２０）の前端部と前フレーム（１０）の両サイドとを連結した構造であってよい。
【００１８】
この構成によれば、部品点数を少なく抑えてより簡単かつ製作が容易なメガネフレームとすることができる。また、紙のみを材料とするメガネフレームで前フレームに対してツル部を折り畳み可能なヒンジ部を形成することができる。
【００１９】
また、本発明にかかるメガネ（１）は、上記構成のメガネフレーム（２）を備えていることを特徴とする。
なお、上記の括弧内の符号は、後述する実施形態の対応する構成要素の符号を本発明の一例として示したものである。
【発明の効果】
【００２０】
本発明によれば、比較的に低価格でデザイン性及びファッション性が高く、かつ、軽量でかけやすく、視力矯正用やサングラス用など通常の使用にも十分に耐えられる高い耐久性・実用性を兼ね備えた紙製のメガネフレーム及びそれを備えたメガネとなる。
【図面の簡単な説明】
【００２１】
【図１】本発明の一実施形態にかかる紙製のメガネフレームを備えたメガネを示す斜視図である。
【図２】メガネフレーム（メガネ）の前フレーム部分の分解斜視図である。
【図３】図１のＸ部分の部分拡大断面図である。
【発明を実施するための形態】
【００２２】
以下、添付図面を参照して本発明の実施形態を詳細に説明する。図１は、本発明の一実施形態にかかる紙製のメガネフレームを備えたメガネを示す斜視図である。なお、以下の説明では、メガネを掛けた状態（人が顔に装着した状態）での顔と反対側を前側といい、顔の側を後側又は手前側という。
【００２３】
図１に示すメガネ１のメガネフレーム２は、通常の金属製又は樹脂製のメガネフレームと同様、前フレーム１０と、前フレーム１０の両サイドに蝶番部５、５を介して折り畳み可能に連結された一対のツル部２０、２０とを備えている。また、前フレーム１０は、レンズ１５、１５を嵌めるための一対の環状のリム部１１、１１が中央の連結部１２で左右対称に連結された形状をなしている。
【００２４】
図２は、前フレーム１０（前フレームに嵌めるレンズ１５、１５を含む）の構成部品を示す分解斜視図である。同図に示すように、前フレーム１０は、比較的硬質の厚紙三枚を重ねた状態で互いに貼り合わせた構造である。すなわち、前フレーム１０は、一番手前側（最前面）に位置する前紙（前板紙）１０ａと、一番後側（最後面）に位置する後紙（後板紙）１０ｃと、前紙１０ａと後紙１０ｃの間に挟み込まれている中間紙（中間板紙）１０ｂの三枚重ね構造になっている。
【００２５】
そして、前紙１０ａと後紙１０ｃと中間紙１０ｂは、互いが同一の厚み寸法を有する厚紙からなる。また、前フレーム１０を構成する前紙１０ａと後紙１０ｃは、互いの外形が同一形状である。その一方で、中間紙１０ｂは、前紙１０ａ及び後紙１０ｃと同じ外形形状（外周形状）を有しているが、リム部１１、１１の内側の開口部１３,１３の形状（寸法）が異なっている。具体的には、中間紙１０ｂにおける開口部１３ｂの内周寸法（内径寸法）Ｄ２が前紙１０ａ及び後紙１０ｃの開口部１３ａ、１３ｃの内周寸法（内径寸法）Ｄ１よりも一回り大きな寸法になっている（Ｄ２＞Ｄ１）。これにより、前紙１０ａと後紙１０ｃの間に中間紙１０ｂを挟んでこれらを重ねて貼り合わせた状態で、図１及び図３に示すように、開口部１３の内周縁にレンズ１５を嵌めるための環状の溝部（環状の窪み）１７が形成されるようになっている。
【００２６】
本実施形態では、前紙１０ａ、後紙１０ｃ、中間紙１０ｂの厚さ寸法を１〜１．５ｍｍとし、前紙１０ａ及び後紙１０ｃの開口部１３ａ、１３ｃの内寸Ｄ１と中間紙１０ｂの開口部１３ｂの内寸Ｄ２との差を約２ｍｍ程度とすることが望ましい。これにより、開口部１３ｂの内周縁に幅１〜１．５ｍｍ、深さ約１ｍｍの溝部１７が形成されるようになる。
【００２７】
また、図１に示すように、ツル部２０、２０も前フレーム１０と同様、比較的硬質の三枚の厚紙を重ねた状態で互いに貼り合わせた構造である。すなわち、ツル部２０は、一番外側（最外面）に位置する外紙（外紙）２０ａと、一番内側（最内面）に位置する内紙（内板紙）２０ｃと、外紙２０ａと内紙２０ｃの間に挟み込まれている中間紙（中間板紙）２０ｂとの三枚重ね構造になっている。
【００２８】
前フレーム１０の両サイドに設けた蝶番部５は、ツル部２０の内紙２０ｃの前端部を他の二枚（外紙２０ａ及び中間紙２０ｂ）よりも前側に若干延伸させてその部分をヒンジ板５ａとして用いた構造である。ヒンジ板５ａは前フレーム１０の両サイドの後面にリベット７で固定されている。そして、ヒンジ板５ａが湾曲する（折れ曲がる）ことでツル部２０を前フレーム１０に対して折り畳むことができるようになっている。なお、ヒンジ板５ａは前フレーム１０の両サイドに対して予め接着剤による接着で取り付けておき、更にリベット７で固定するようにしている。また、リベット７によって前フレーム１０を構成する三枚の厚紙（前紙１０ａ、後紙１０ｃ、中間紙１０ｂ）の両サイドが補強的に一体的に貼り合わせられている。また、ツル部２０の前端部近傍と後端部近傍にもそれぞれ他のリベット８、９が取り付けられている。
【００２９】
なお、上記のようにツル部２０の内紙２０ｃの前端部を他の二枚（外紙２０ａ及び中間紙２０ｂ）よりも前側に若干延伸させてその部分をヒンジ板５ａとして用いる以外にも、図示は省略するが、ツル部２０とは別体のヒンジ板（ヒンジ部材）を用意し、このヒンジ部材を用いて前フレーム１０の両サイドにツル部２０を連結してもよい。なおこの別体のヒンジ板は、紙製であっても良いし、より耐久性のある他の材質（一例として合成皮革や本革など）を用いることも可能である。
【００３０】
リベット７、８、９はその材質として、金属製、樹脂製（合成樹脂製）などのほか、重ね合わせた厚紙を留めることができる硬さを有する材質であれば、それ以外にも例えば、紙と一緒に燃やすことができる可燃性の樹脂材料などを用いることも可能である。そのような可燃性の材料を用いれば、メガネフレーム２を廃棄する際に分別が不要となり、可燃廃棄物としての処理が可能となり、リサイクル性に優れたメガネフレームとなる。また、葬儀の際に棺に入れてそのまま火葬することも可能なメガネフレームとなる。
【００３１】
また、前フレーム１０における連結部１２の下側であって両リム部１１、１１の外側面（それぞれの内側を向く外側面）には、リム部１１の側面を隆起させてなる隆起形状の鼻当て部１９が設けられている。詳細には、この鼻当て部１９は、前フレーム１０の後紙１０ｃの手前側の内側面（端面）及び後側の面に一体的に取り付けられている。この鼻当て部１９は、紙粘土を鼻当ての形状に整形したものを前フレーム１０に一体に盛り付けることで形成している。これによれば、鼻当て部１９も前フレーム１０の他の部分と同じ紙材料で構成されるので、よりリサイクル性に優れたメガネフレームとなる。また、メガネフレーム２の軽量化・低価格化にも資することができる。また、鼻当て部１９を紙粘土で形成すれば、その形状を比較的自由に成形することができるので、メガネフレーム２のデザイン性を高めることができ、また使い心地の良いメガネフレームとすることができる。
【００３２】
なお、図示は省略するが、隆起形状の鼻当て部１９に代えて別体の鼻当てパットを取り付けることも可能である。この場合の鼻当てパットには、従来のメガネフレームに使用されている各種構造・形状のものを用いることができる。
【００３３】
次に、上記構造のメガネフレーム２及びそれを備えたメガネ１を製作する手順を説明する。まず、所定厚さ（例えば厚さ１〜１．５ｍｍ）の厚紙を用意し、その厚紙から前フレーム１０の前紙１０ａ、後紙１０ｃ、中間紙１０ｂの形状を切り抜いてそれぞれを形成する。厚紙の切り抜き（カット）は、機械式のカッターを用いても良いし、レーザーカッターなどを用いてもよい。同様に、厚紙から一対のツル部２０を構成する外紙２０ａ、内紙２０ｃ、中間紙２０ｂの形状をカットしてそれぞれを形成する。
【００３４】
また、メガネフレーム２に色彩や模様を付する場合、特に前フレーム１０の前面１０Ａやツル部２０の外面２０Ａに色彩や模様を付する場合は、予め前フレーム１０の前紙１０ａの前面１０Ａとなる面、及びツル部２０の外紙２０ａの外面２０Ａとなる面に模様や色彩を施しておくとよい。この模様や色彩は、厚紙に予め（切り抜き前に）印刷などで形成しておいても良いし、切り抜き後に印刷や手書きで施してもよい。いずれにせよ、本実施形態のメガネフレーム２は紙製であるため、好みの色彩や模様をプリンターによる印刷などで非常に簡単に施すことが可能となる。また、三枚重ねの紙のうち最前面（又は最外面）の一枚の紙１０ａ又は２０ａのみ色彩や模様を施せばよいので、その点でも非常に簡単に色彩や模様の付加が可能となる。
【００３５】
そして、前フレーム１０の三枚の紙１０ａ、１０ｂ、１０ｃを重ねた状態で接着材などで互いに貼り合わせる。このとき、三枚の紙１０ａ、１０ｂ、１０ｃの外周縁を合せて貼り合わせれば、それによってリム部１１の開口部１３の内周縁にレンズ１５を装着するための溝部１７が形成される。この点、従来の樹脂製などのフレームでは、レンズを装着するための溝部を形成するために切削加工などで溝を掘る工程が必要であったところ、本実施形態のメガネフレーム２では、上記のように三枚の紙１０ａ、１０ｂ、１０ｃを貼り合わせるだけでレンズ１５を装着するための溝部１７が形成されるので、その分、製作の工程数を少なくでき、メガネフレーム２の製作を簡単に行うことができる。
【００３６】
そして、前フレーム１０の両サイドにツル部２０のヒンジ板５ａをリベット７で取り付ける。これにより、メガネフレーム２が完成する。その後、両リム部１１にレンズ１５を取り付けることで、メガネ１が完成する。レンズ１５は、通常の樹脂製のメガネフレームなどと同様、リム部１１の溝部１７にレンズ１５の外周縁を嵌め込んで取り付けることが可能である。したがって、後からのレンズ１５の装着・交換も可能であり、通常の樹脂製のメガネフレームなどと同様の利便性及び実用性を有するメガネフレームとなっている。また、本実施形態のメガネフレーム２は、通常の樹脂製や金属製のメガネフレームと比べて非常に安価であるため、複数種類のデザイン（例えば、色や模様違いなど）のメガネフレーム２を所持しておき、同一のレンズ１５を付け替えて使用することも可能である。この場合においても、リム部１１が紙製であるため、レンズ１５の付け替えを手作業で簡単に行うことができる。
【００３７】
なお、前フレーム１０及びツル部２０の三枚の紙を貼り合わせる工程では、予め前フレーム１０又はツル部２０の外形に沿う形状に形成された型枠を用意し、この型枠内に接着剤を付けた三枚の紙を順に落とし込み、その状態で圧着（プレス）することで三枚を貼り合わせるようにするとよい。これによれば、三枚の紙の外形（外縁）を正確に一致させた状態で貼り合わせることが可能となるので、短時間で効率的に精度の高いメガネフレームを製作することが可能となる。
【００３８】
なお、メガネフレーム２は、製作後に表面に塗料や樹脂剤などを塗布したり紙に含浸させたりすることで、光沢を持たせたり防水性を確保したりすることも可能である。
【００３９】
以上説明したように、本実施形態のメガネフレーム２は、レンズ１５が装着される一対の環状のリム部１１、１１が中央の連結部１２で連結されてなる前フレーム１０と、この前フレーム１０の両サイドに蝶番部５、５を介して折り畳み可能に連結された一対のツル部２０、２０と、を有するメガネフレーム２であって、前フレーム１０は、外周形状が同形状である複数枚の紙１０ａ、１０ｂ、１０ｃを重ねて貼り合わせた構成であり、かつ、中間に挟み込まれた一枚の紙１０ｂの開口部１３ｂを他の紙１０ａ、１０ｃの開口部１３ａ、１３ｃよりも一回り大きく形成していることで、リム部１１の開口部１３の内周縁にレンズ１５の外周縁を嵌めるための環状の溝部１７が形成されている。
【００４０】
本実施形態のメガネフレーム２によれば、紙製のメガネフレームにおいて、前フレーム１０を複数枚（三枚）の紙１０ａ、１０ｂ、１０ｃを重ねて貼り合わせた構成としたことで、紙製でありながら、視力矯正用のメガネのフレームやサングラスのフレームとして通常の使用にも十分に耐えられるような丈夫で耐久性の高いメガネフレームとなる。
【００４１】
また、複数枚の紙１０ａ、１０ｂ、１０ｃを貼り合わせるだけでレンズ１５の外周縁を嵌めるための環状の溝部１７が形成されるので、従来の樹脂製のメガネフレームのようにレンズ用の溝部を切削加工で形成する工程などが不要となる。したがって、製作の工程数を少なくでき、メガネフレーム２の製作を非常に簡単に行うことができる。
【００４２】
また、前フレーム１０に模様や色彩などを施す場合には、前フレーム１０の最前面に貼り合わせた一枚の紙１０ａの前面１０Ａにのみ印刷などで模様や色彩を付ければよいので、簡単な工程でデザイン性の高いメガネフレーム２を製作できる。
【００４３】
さらに、本実施形態のメガネフレーム２は紙を材料としているため、メガネフレーム２を廃棄する際に分別が不要となり、可燃廃棄物や紙資源としての処理が可能となり、リサイクル性に優れたメガネフレームとなる。また、葬儀の際に棺に入れてそのまま火葬することも可能なメガネフレームとなる。
【００４４】
またこのメガネフレームでは、前フレーム１０は、三枚の紙１０ａ、１０ｂ、１０ｃを重ねて貼り合わせた構成であり、中間に挟まれた一枚の紙１０ｂの開口部１３ｂの内周縁のみによって溝部１７の底面が構成されている。
【００４５】
この構成によれば、中間に挟まれた一枚の紙１０ｂの厚さや形状を設定するだけで、溝部１７の深さや幅の選択が可能となる。したがって、レンズ１５を嵌めるための溝部１７の構成（形状）の自由度を高めることができる。これにより、度の強さによって厚さの異なる度付きレンズなどにおいても、幅広い種類の度のレンズを嵌め込むことが可能な多種類のメガネフレーム２を容易に製作することが可能となる。
【００４６】
また、このメガネフレーム２では、前フレーム１０における連結部１２の下側であって両リム部１１、１１の外側面に、リム部１１、１１の側面（外周側面）を隆起させてなる隆起形状の鼻当て部１９、１９が設けられている。そして、この鼻当て部１９、１９は、紙粘土を成型してなる部材である。
【００４７】
この構成によれば、鼻当て部１９も前フレーム１０の他の部分と同じ紙材料で構成されるので、よりリサイクル性に優れたメガネフレームとなる。また、メガネフレーム２の軽量化・低価格化にも資することができる。また、鼻当て部１９を紙粘土で形成していることで、その形状を比較的自由に成形することができるので、メガネフレーム２のデザイン性を高めることができ、また使い心地の良いメガネフレームとすることができる。
【００４８】
また、このメガネフレーム２では、ツル部２０も複数枚の紙２０ａ、２０ｂ、２０ｃを重ねた状態で互いに貼り合わせた構造であり、蝶番部５、５は、ツル部２０の最も内側に貼り合わせた紙２０ｃの前端部を他の紙２０ａ、２０ｂよりも前側に延伸させてその部分をヒンジ板５ａとしている。そしてこのヒンジ板５ａでツル部２０の前端部と前フレーム１０の両サイドとを連結した構造である。
【００４９】
この構成によって、部品点数を少なく抑えてより簡単かつ製作が容易なメガネフレームとすることができる。また、紙のみを材料とするメガネフレーム２において、前フレーム１０に対してツル部２０を折り畳み可能なヒンジ部５を形成することができる。
【００５０】
以上、本発明の実施形態を説明したが、本発明は、上記実施形態に限定されるものではなく、特許請求の範囲、及び明細書と図面に記載された技術的思想の範囲内において種々の変形が可能である。例えば、上記実施形態では、メガネフレーム２の前フレーム１０を三枚の紙１０ａ、１０ｂ、１０ｃを重ね合わせた構造としたが、これ以外にも本発明にかかるメガネフレームの前フレームは、複数枚の紙を重ねて貼り合わせた構成であり、かつその中間に挟み込んだ一又は複数枚の紙の開口部を他の紙の開口部よりも一回り大きく形成することで、リム部の開口部の内周縁にレンズを装着するための溝部が形成された構成であれば、その重ね合わせの枚数は三枚には限らず、五枚、七枚など他の枚数であってもよい。また、四枚を重ね合わせてその中間の二枚の開口部を一回り大きく形成して溝部を構成してもよい。
【００５１】
また、上記実施形態では、メガネフレーム２のツル部２０も三枚の紙（厚紙）２０ａ、２０ｂ、２０ｃを重ね合わせた構成としているが、本発明にかかるメガネフレームのツル部はこの構成に限られず、例えば、一枚の厚紙のみで構成したり、その一枚の厚紙を角柱状に折り曲げて棒状に形成した構成などであってもよい。
【符号の説明】
【００５２】
１    メガネ
２    メガネフレーム
５    蝶番部
５ａ    ヒンジ板
７    リベット
８    リベット
９    リベット
１０    前フレーム
１０Ａ    前面
１０ａ    前紙
１０ｂ    中間紙
１０ｃ    後紙
１１    リム部
１２    連結部
１３（１３ａ、１３ｂ、１３ｃ）    開口部
１５    レンズ
１７    溝部
１９    鼻当て部
２０    ツル部
２０Ａ    外面
２０ａ    外紙
２０ｂ    中間紙
２０ｃ    内紙
【図１】
2017191300.tif 000003
【図２】
2017191300.tif 000004
【図３】
2017191300.tif 000005